【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  プラズマ・ディスプレイ・パネルにおいて、画素の電極を制御する方法であって、
第１電極を必要とするアドレス放電中に、第１電圧を前記画素の第１電極に印加すること、および、
第２電圧を前記画素の第２電極に印加することを含み、
前記第１電圧と前記第２電圧とが、前記アドレス放電が前記第２電極に及ぶのを妨害する関係を有する方法。
【請求項２】  前記第１電極が前記アドレス放電のためにセットアップされる期間に、第１電圧波形を前記第１電極に印加すること、および、
同時に第２電圧波形を前記第２電極に印加することをさらに含み、
前記第１電圧波形と前記第２電圧波形とが、前記期間を通して互いに同一である、請求項１に記載の方法。
【請求項３】  前記第１電極が前記アドレス放電のためにセットアップされる期間に、第１電圧波形を前記第１電極に印加すること、および、
前記期間に第２電圧波形を前記第２電極に印加することをさらに含み、
前記第１電圧波形と前記第２電圧波形とが、セットアップ放電が前記第２電極に及ぶのを妨害する関係を有する、請求項１に記載の方法。
【請求項４】  前記アドレス放電後、前記第１電極に電圧を印加すること、および、同時に、
前記第２電極に電圧を印加することをさらに含み、
前記アドレス放電後、前記第１電極に印加される前記電圧と、前記アドレス期間後、前記第２電極に印加される前記電圧とが、前記第１電極を必要とする維持放電が前記第２電極に及ぶのを可能にする関係を有する、請求項１に記載の方法。
【請求項５】  前記アドレス放電後、前記第１電極に印加される前記電圧が、第１の大きさを有し、
前記アドレス放電後、前記第２電極に印加される前記電圧が、第２の大きさを有し、
前記第２の大きさが、前記第１の大きさより大きい、請求項４に記載の方法。
【請求項６】  プラズマ・ディスプレイ・パネルにおいて、画素の電極を制御する方法であって、
第１電圧を前記画素の分割電極対の第１電極に印加すること、および、
前記第１電圧とは独立して、第２電圧を前記分割電極対の第２電極に印加することを含む方法。
【請求項７】  前記第１電圧を前記第１電極に前記印加することが、前記第１電極がアドレス放電のためにセットアップされる期間に、第１電圧波形を前記第１電極に印加することを含み、
前記第２電圧を前記第２電極に前記印加することが、前記期間に第２電圧波形を前記第２電極に印加することを含み、
前記第１電圧波形と前記第２電圧波形とが、セットアップ放電が前記第２電極に及ぶのを妨害する関係を有する、請求項６に記載の方法。
【請求項８】  前記第１電圧を前記第１電極に前記印加すること、および、前記第２電圧を前記第２電極に前記印加することが、そして（ａ）前記第１電極を必要とするアドレス放電中に実施され、そして（ｂ）前記アドレス放電が前記第２電極に及ぶのを妨害する、請求項６に記載の方法。
【請求項９】  前記第１電圧を前記第１電極に前記印加すること、および、前記第２電圧を前記第２電極に前記印加することが、（ａ）前記第１電極を必要とする維持放電中に実施され、（ｂ）前記維持放電が前記第２電極に及ぶのを促進する、請求項６に記載の方法。
【請求項１０】  プラズマ・ディスプレイ・パネルにおいて、画素の電極を制御する方法であって、
前記画素の内部走査電極と維持電極との間のアドレス放電中に、第１電圧を前記画素の内部走査電極に印加すること、および、
第２電圧を前記画素の外部走査電極に印加することを含み、
前記第１電圧と前記第２電圧とが、前記アドレス放電が前記外部走査電極に及ぶのを妨害する関係を有する、上記の方法。
【請求項１１】  前記内部走査電極が前記アドレス放電のためにセットアップされる期間に、第１の大きさを有する第１電圧波形を前記内部走査電極に印加すること、および、
前記期間に第２の大きさを有する第２電圧波形を前記外部走査電極に印加することをさらに含み、
前記第１の大きさが、前記第２の大きさより大きい、請求項１０に記載の方法。
【請求項１２】  前記維持電極が、内部維持電極であり、
前記アドレス放電が前記外部維持電極に及ぶのを妨害する電圧を、前記画素の外部維持電極に印加することをさらに含む、請求項１０に記載の方法。
【請求項１３】  前記内部走査電極が前記アドレス放電のためにセットアップされる期間に、電圧波形を前記内部走査電極に印加し、同時に、前記外部走査電極に電圧波形を印加すること、および、
前記期間に電圧波形を前記内部維持電極に印加し、同時に、電圧波形を前記外部維持電極に印加することをさらに含み、
前記内部走査電極に印加される前記電圧波形と、前記外部走査電極に印加される前記電圧波形とが、前記期間を通して互いに同一であり、
前記内部維持電極に印加される前記電圧波形と、前記外部維持電極に印加される前記電圧波形とが、前記期間を通して互いに同一である、請求項１２に記載の方法。
【請求項１４】  前記アドレス放電後、
前記外部維持電極に電圧を印加し、前記内部維持電極に電圧を印加し、前記内部走査電極に電圧を印加し、および前記外部走査電極に電圧を印加することをさらに備え、
前記アドレス放電後、前記外部維持電極に印加される前記電圧と、前記アドレス放電後、前記内部維持電極に印加される前記電圧と、前記アドレス放電後、前記内部走査電極に印加される前記電圧と、前記アドレス放電後、前記外部走査電極に印加される前記電圧とが、維持放電が前記外部維持電極から前記外部走査電極に及ぶのを可能にする関係を有する、請求項１２に記載の方法。
【請求項１５】  前記アドレス放電後、前記外部維持電極に印加される前記電圧と、前記アドレス放電後、前記内部維持電極に印加される前記電圧とが、互いに同一であり、そして、
前記アドレス放電後、前記内部走査電極に印加される前記電圧と、前記アドレス放電後、前記外部走査電極に印加される前記電圧とが互いに同一である、請求項１４に記載の方法。
【請求項１６】  前記アドレス放電後、
第１の大きさを有する電圧を前記内部走査電極に印加すること、および、同時に、
第２の大きさを有する電圧を前記外部走査電極に印加することをさらに含み、
前記第２の大きさは前記第１の大きさより大きく、そして
前記第１の大きさと第２の大きさとにより、前記内部走査電極を必要とする維持放電が前記外部走査電極に及ぶのを可能にする、請求項１０に記載の方法。
【請求項１７】  プラズマ・ディスプレイ・パネルにおいて、画素の電極を制御する方法であって、
画素の内部維持電極と走査電極との間のアドレス放電中に、電圧を前記画素の内部維持電極に印加すること、および、
電圧を前記画素の外部維持電極に印加することを含み、
前記内部維持電極に印加される前記電圧と、前記外部維持電極に印加される前記電圧とが、前記アドレス放電が前記外部維持電極に及ぶのを妨害する関係を有する、上記の方法。
【請求項１８】  前記走査電極が、内部走査電極であり、
前記アドレス放電が前記外部走査電極に及ぶのを妨害する電圧を、前記画素の外部走査電極に加えることをさらに備える、請求項１７に記載の方法。
【請求項１９】  前記アドレス放電後、
電圧を前記内部維持電極に印加すること、および、同時に、
前記内部維持電極を必要とする維持放電が前記外部維持電極に及ぶのを可能にする電圧を、前記外部維持電極に印加することをさらに含む、請求項１７に記載の方法。
【請求項２０】  プラズマ・ディスプレイ・パネルにおいて、画素の電極を制御する方法であって、
前記画素の外部維持電極に電圧波形を印加すること、
前記画素の内部維持電極に電圧波形を印加すること、
前記画素の内部走査電極に電圧波形を印加すること、および、
前記画素の外部走査電極に電圧波形を印加することを含み、
前記外部維持電極に印加される前記電圧波形と、前記内部維持電極に印加される前記電圧波形と、前記内部走査電極に印加される前記電圧波形と、前記外部走査電極に印加される前記電圧波形とが、（ｉ）前記内部維持電極と前記内部走査電極とを必要とするアドレス放電が、前記外部維持電極と前記外部走査電極とに及ぶのを妨害する関係、および、（ii）前記内部維持電極と前記内部走査電極とを必要とする維持放電が、前記外部維持電極と前記外部走査電極とに及ぶのを可能にする関係を有する、上記の方法。
【請求項２１】  第１電極を必要とするアドレス放電中に、プラズマ・ディスプレイ・パネルにおいて、第１電圧を画素の第１電極に印加するための回路と、
第２電圧を前記画素の第２電極に印加するための回路とを備え、
前記第１電圧と前記第２電圧とが、前記アドレス放電が前記第２電極に及ぶのを妨害する関係を有する装置。
【請求項２２】  プラズマ・ディスプレイ・パネルにおいて、第１電圧を画素の分割電極対の第１電極に印加するための回路と、
第２電圧を前記分割電極対の第２電極に印加するための回路とを備え、
前記第１電圧を印加するための前記回路と、前記第２電圧を印加するための前記回路とが、互いに独立して前記第１電極と前記第２電極とを制御する装置。
【請求項２３】  プラズマ・ディスプレイ・パネルにおいて、画素の外部維持電極に
電圧波形を印加するための回路と、
前記画素の内部維持電極に電圧波形を印加するための回路と、
前記画素の内部走査電極に電圧波形を印加するための回路と、
前記画素の外部走査電極に電圧波形を印加するための回路とを備え、
前記外部維持電極に印加される前記電圧波形と、前記内部維持電極に印加される前記電圧と、前記内部走査電極に印加される前記電圧波形と、前記外部走査電極に印加される前記電圧波形とが、（ｉ）前記内部維持電極と前記内部走査電極とを必要とするアドレス放電が、前記外部維持電極と前記外部走査電極とに及ぶことを妨害する関係、および、（ii）前記内部維持電極と前記内部走査電極とを必要とする維持放電が、前記外部維持電極と前記外部走査電極とに及ぶことを可能にする関係とを有する装置。
【請求項２４】  第１電極と第２電極とで構成された分割電極を有する画素と、
（ａ）前記第１電極を必要とする放電中に、前記第１電極に第１電圧を印加するための、および（ｂ）前記第２電極に第２電圧を印加するための回路とを備え、
前記第１電圧と前記第２電圧とが、前記放電が前記第２電極に及ぶか否かに影響を与える関係を有する、プラズマ・ディスプレイ・パネル。
【請求項２５】  前記放電が、前記第１電極を必要とするアドレス放電であり、そして、前記第１電圧と前記第２電圧とが、前記アドレス放電が前記第２電極に及ぶのを妨害する、請求項２４に記載のプラズマ・ディスプレイ・パネル。
【請求項２６】  前記第１電圧と前記第２電圧とを前記印加することが、
第１電極がアドレス放電のためにセットアップされる期間に、第１電圧波形を前記第１電極に印加すること、および、同時に、
第２電圧波形を前記第２電極に印加することを含み、
前記第１電圧波形と前記第２電圧波形とが、前記期間を通して互いに同一である、請求項２４に記載のプラズマ・ディスプレイ・パネル。
【請求項２７】  前記第１電圧を前記第１電極に印加すること、および、前記第２電圧を前記第２電極に印加することが、
前記第１電極がアドレス放電のためにセットアップされる期間に、第１電圧波形を前記第１電極に印加すること、および、
前記期間に第２電圧波形を前記第２電極に印加することを含み、
前記第１電圧波形と前記第２電圧波形とが、セットアップ放電が前第２電極に及ぶのを妨害する関係を有する、請求項２４に記載のプラズマ・ディスプレイ・パネル。
【請求項２８】  前記第１電圧を前記第１電極に印加し、前記第２電圧を前記第２電極に印加することが、
アドレス放電後、前記第１電圧を前記第１電極に印加すること、および、同時に、
前記第２電圧を前記第２電極に印加することを含み、
前記第１電圧と前記第２電圧とが、前記第１電極を必要とする維持放電が前記第２電極に及ぶのを可能にする関係を有する、請求項２４に記載のプラズマ・ディスプレイ・パネル。
【請求項２９】  前記第１電圧が、第１の大きさを有し、前記第２電圧が、第２の大きさを有し、そして、前記第２の大きさが、前記第１の大きさより大きい、請求項２８に記載のプラズマ・ディスプレイ・パネル。
【請求項３０】  前記第２電極が、前記画素の外周に配置される、請求項２４に記載のプラズマ・ディスプレイ・パネル。
【請求項３１】  前記第２電極が、ループとして構成され、隣接画素の電極にもなる、請求項２４に記載のプラズマ・ディスプレイ・パネル。
【請求項３２】  前記ループが、前記画素と前記隣接画素との間の画素間ギャップを提供する内部領域を有する、請求項３１に記載のプラズマ・ディスプレイ・パネル。
【請求項３３】  画素間ギャップの内部に配置されたコントラスト改善バーをさらに備える、請求項２４に記載のプラズマ・ディスプレイ・パネル。
【請求項３４】  前記第１電極と前記第２電極の少なくとも一方が、開口電極である
、請求項２４に記載のプラズマ・ディスプレイ・パネル。
【請求項３５】  前記第１電極と前記第２電極の少なくとも一方が、導電性透明領域を含む、請求項２４に記載のプラズマ・ディスプレイ・パネル。
【請求項３６】  前記第１電極が内部走査電極であり、前記第２電極が外部走査電極である、請求項２４に記載のプラズマ・ディスプレイ・パネル。
【請求項３７】  前記第１電極が内部維持電極であり、前記第２電極が外部維持電極である、請求項２４に記載のプラズマ・ディスプレイ・パネル。
【請求項３８】  第１電極と第２電極とで構成された分割電極を有する画素と、
第１電圧を前記第１電極に、第２電圧を前記第２電極に互いに独立して印加するための制御装置とを備える、プラズマ・ディスプレイ・パネル。
【請求項３９】  前記第１電圧を前記第１電極に、および、前記第２電圧を前記第２電極に前記印加することが、
前記第１電極がアドレス放電のためにセットアップされる期間に、第１電圧波形を前記第１電極に印加すること、および、
前記期間に第２電圧波形を前記第２電極に印加することを含み、
前記第１電圧波形と前記第２電圧波形とが、セットアップ放電が前記第２電極に及ぶのを妨害する関係を有する、請求項３８に記載のプラズマ・ディスプレイ・パネル。
【請求項４０】  前記第１電圧を前記第１電極に、および、前記第２電圧を前記第２電極に前記印加することが、（ａ）前記第１電極を必要とするアドレス放電中に実施され、そして、（ｂ）前記アドレス放電が前記第２電極に及ぶのを妨害する、請求項３８に記載のプラズマ・ディスプレイ・パネル。
【請求項４１】  前記第１電圧を前記第１電極に、および、前記第２電圧を前記第２電極に前記印加することが、（ａ）前記第１電極を必要とする維持放電中に実施され、そして、（ｂ）前記維持放電が前記第２電極に及ぶのを促進する、請求項３８に記載のプラズマ・ディスプレイ・パネル。
【請求項４２】  外部維持電極と、内部維持電極と、内部走査電極と、外部走査電極とを有する画素と、
前記外部維持電極と、前記内部維持電極と、前記内部走査電極と、前記外部走査電極とのそれぞれに互いに独立して電圧を印加するための制御装置とを備えるプラズマ・ディスプレイ・パネル。
【請求項４３】  電圧を前記印加することが、
第１電圧波形を前記外部維持電極に印加すること、
第２電圧波形を前記内部維持電極に印加すること、
第３電圧波形を前記内部走査電極に印加すること、および、
第４電圧波形を前記外部走査電極に印加することを含み、
前記第１電圧波形と、前記第２電圧波形と、前記第３電圧波形と、前記第４電圧波形とが、（ｉ）前記内部維持電極と前記内部走査電極とを必要とするアドレス放電が、前記外部維持電極と前記外部走査電極とに及ぶのを妨害する関係、および、（ii）前記内部維持電極と前記内部走査電極とを必要とする維持放電が、前記外部維持電極と前記外部走査電極とに及ぶのを可能にする関係を有する、請求項４２に記載のプラズマ・ディスプレイ・パネル。
【請求項４４】  第１波形を受け取る第１入力部と、第２波形を受け取る第２入力部と、プラズマ・ディスプレイにおける画素の電極に駆動用波形を与える出力部と、（ｉ）セットアップ期間の第１部分中に前記第１入力部から前記出力部へ前記第１波形を送ってアドレス指定動作のために前記画素を初期化し、（ii）前記セットアップ期間の第２部分中に前記第２入力部から前記出力部へ前記第２波形を送る切り換え用副回路とを有する回路を含むプラズマ・ディスプレイ。
【請求項４５】  前記駆動用波形が、前記第１波形のピーク対ピーク振幅よりも大きく、また、前記第２波形のピーク対ピーク振幅よりも大きいピーク対ピーク振幅を有する、請求項４４に記載のプラズマ・ディスプレイ。
【請求項４６】  前記第１波形が前記第２波形の直流オフセットである、請求項４４に記載のプラズマ・ディスプレイ。
【請求項４７】  前記直流オフセットが正である、請求項４６に記載のプラズマ・ディスプレイ。
【請求項４８】  前記切り換え用副回路がトーテムポール配置のトランジスタからなる、請求項４４に記載のプラズマ・ディスプレイ。
【請求項４９】  プラズマ・ディスプレイにおける画素の電極を駆動するための出力波形を与えるトーテムポール出力部を有する回路を含み、前記画素が、セットアップ期間中、アドレス指定動作に対して準備を整え、前記トーテムポール出力部が、前記セットアップ期間の第１部分中に前記出力波形を駆動する第１トランジスタと、前記セットアップ期間の第２部分中に前記出力波形を駆動する第２トランジスタとを含むプラズマ・ディスプレイ。
【請求項５０】  前記回路が、第１入力波形および第２入力波形を受け取り、前記トーテムポール出力部を通して選択的に前記第１入力波形または前記第２入力波形のいずれかを送って前記出力波形を発生させ、前記出力波形が、前記第１波形のピーク対ピーク振幅よりも大きく、また、前記第２波形のピーク対ピーク振幅よりも大きいピーク対ピーク振幅を有する、請求項４９に記載のプラズマ・ディスプレイ。
【請求項５１】  プラズマ・ディスプレイにおける画素の電極を駆動するための出力波形を与えるトーテムポール出力部を有する回路を含み、この回路が、第１波形およびこの第１波形に対して正である第２波形を受け取り、また、前記回路が、前記画素の第１ガス放電中に前記トーテムポール出力部に前記第２波形を送り、前記画素の第２ガス放電中に前記トーテムポール出力部に前記第１波形を送るプラズマ・ディスプレイ。
【請求項５２】  前記第１ガス放電が立ち上がりランプ放電中に弱い正の抵抗放電を含む、請求項５１に記載のプラズマ・ディスプレイ。
【請求項５３】  第１波形および第２波形を提供する回路であって、前記第２波形が前記第１波形の電圧オフセットである回路と、前記第１波形を受け取る第１入力部、前記第２波形を受け取る第２入力部および前記プラズマ・ディスプレイにおける画素の電極に駆動用波形を与える出力部を有するトーテムポール回路とを含み、前記トーテムポール回路が、（ｉ）セットアップ期間の第１部分中に前記第２波形を前記第２入力部から前記出力部へ送ってアドレス指定動作のために前記画素を初期化し、（ii）前記セットアップ期間の第２部分中に前記第１波形を前記第１入力部から前記出力部へ送る、プラズマ・ディスプレイ。
【請求項５４】  前記駆動用波形が、前記第１波形のピーク対ピーク振幅よりも大きく、また、前記第２波形のピーク対ピーク振幅よりも大きいピーク対ピーク振幅を有する、請求項５３に記載のプラズマ・ディスプレイ。
【請求項５５】  前記画素が前記セットアップ期間の前記第１の部分中に弱い正の抵抗放電を行う、請求項５３に記載のプラズマ・ディスプレイ。
【請求項５６】  前記第２波形が前記第１波形に交流連結している、請求項５３に記載のプラズマ・ディスプレイ。
【請求項５７】  第１波形を受け取る第１入力部と、前記第１波形の直流オフセットである第２波形を受け取る第２入力部と、プラズマ・ディスプレイにおける画素の電極に駆動用波形を与える出力部と、（ｉ）フレームのサブフィールドの第１部分中に前記第２波形を前記第２入力部から前記出力部へ送って前記画素を明るくし、（ii）前記サブフィールドの第２部分中に前記第１波形を前記第１入力部から前記出力部へ送る切り換え用副回路とを有する回路を含み、前記駆動用波形が、前記第１波形のピーク対ピーク振幅よりも大きく、また、前記第２波形のピーク対ピーク振幅よりも大きいピーク対ピーク振幅を有するプラズマ・ディスプレイ。
【請求項５８】  前記直流オフセットが正である、請求項５７に記載のプラズマ・ディスプレイ。
【請求項５９】  前記切り換え用副回路がトーテムポール配置のトランジスタからなる
、請求項５７に記載のプラズマ・ディスプレイ。
【請求項６０】  第１波形を受け取る第１入力部と、第２波形を受け取る第２入力部と、プラズマ・ディスプレイにおける画素の電極に駆動用波形を与える出力部と、（ｉ）アドレス指定動作のために前記画素を初期化するガス放電中に前記第１波形を前記第１入力部から前記出力部へ送り、（ii）前記アドレス指定動作中に前記画素をガス放電可能にするときに前記第２波形を前記第２入力部から前記出力部へ送る切り換え用副回路とを有する回路を含むプラズマ・ディスプレイ。
【請求項６１】  前記駆動用波形が、前記第１波形のピーク対ピーク振幅よりも大きく、また、前記第２波形のピーク対ピーク振幅よりも大きいピーク対ピーク振幅を有する、請求項６０に記載のプラズマ・ディスプレイ。
【請求項６２】  前記第１波形が前記第２波形の直流オフセットである、請求項６０に記載のプラズマ・ディスプレイ。
【請求項６３】  前記直流オフセットが正である、請求項６２に記載のプラズマ・ディスプレイ。
【請求項６４】  前記切り換え用副回路がトーテムポール配置のトランジスタからなる、請求項６０に記載のプラズマ・ディスプレイ。
【請求項６５】  第１波形を受け取る第１入力部と、この前記第１波形の直流オフセットである第２波形を受け取る第２入力部と、プラズマ・ディスプレイにおける画素の電極に駆動用波形を与える出力部と、（ｉ）アドレス指定動作のために前記画素を初期化するガス放電中に前記第１波形を前記第１入力部から前記出力部へ送り、（ii）前記アドレス指定動作中に前記画素をガス放電可能にするときに前記第２波形を前記第２入力部から前記出力部へ送る切り換え用副回路とを有する回路を含み、前記駆動用波形が、前記第１波形のピーク対ピーク振幅よりも大きく、また、前記第２波形のピーク対ピーク振幅よりも大きいピーク対ピーク振幅を有するプラズマ・ディスプレイ。
【請求項６６】  前記直流オフセットが正である、請求項６５に記載のプラズマ・ディスプレイ。
【請求項６７】  前記切り換え用副回路がトーテムポール配置のトランジスタからなる、請求項６５に記載のプラズマ・ディスプレイ。